(57)【要約】【課題】カウンターを壁面に沿ってスライドさせても壁面に生じる傷が見えない。【解決手段】浴室の第１壁面４に固定したブラケット７と、ブラケット７に着脱可能に装着したカウンター１とを備えた。ブラケット７の上端部に設けた第二係止溝２８に、カウンター１の奥側縁部１６の下部に設けた係合部１４を第１壁面４に沿ってスライドして嵌合させる。カウンター１の第１壁面４に対向する奥側縁部１６の背面部１６ｃに第１壁面４側に最も突出する当接部１６ｂを設けた。カウンター１の係合部１４がブラケット７の第二係止溝２８と嵌合するための第１壁面４に沿った係り始め部からのスライド距離をＬとし、カウンター１の当接部１６ｂから第１壁面４に沿った頂部までの長さをＭとして、長さＭをスライド距離Ｌより大きくした。【選択図】図１１
2018051122.tif 000002
【特許請求の範囲】
【請求項１】
浴室の壁面に取り付けた支持部材と、前記支持部材に着脱可能に装着したカウンターとを備えたカウンターの取付構造であって、
前記支持部材に設けられた係止部と、
前記カウンターに設けられていて前記壁面に沿ってスライドして前記係止部に嵌合可能な係合部と、
前記カウンターの前記壁面に対向する面に形成されていて前記壁面に接触可能な当接部とが設けられ、
前記カウンターの係合部が前記支持部材の係止部と嵌合するための前記壁面に沿ったスライド距離をＬとし、前記カウンターの当接部から前記壁面に沿った頂部までの長さをＭとして、長さＭはスライド距離Ｌより大きく形成されていることを特徴とするカウンターの取付構造。
【請求項２】
前記カウンターの係合部が前記支持部材の係止部に嵌合された位置で、前記当接部と前記壁面との間に間隙が形成されている請求項１に記載されたカウンターの取付構造。
【発明の詳細な説明】
【技術分野】
【０００１】
本発明は、例えば浴室等の壁面に取り付けられたカウンターの取付構造に関する。
【背景技術】
【０００２】
従来、浴室内の壁面には、石鹸やシャンプー等の小物を置いたり入浴者が載置したりするためのカウンターが取り付けられていることが多い。例えば、特許文献１に記載されたカウンターは、浴室内の壁面に固定されたベース部材を有し、更にベース部材に着脱可能な壁面用機能部材が連結されている。
【０００３】
壁面用機能部材はベース部と凹凸嵌合されているにすぎないため強度が弱く、シャワーノズル等があたると外れたり損傷したりするおそれがあった。ベース部は浴室の壁面に固定されているため、壁面との連結部が汚れたりカビが生えたりした際、取り外しができないため掃除等が困難であった。
ところで、カウンターを浴室の壁面に着脱可能に取り付けたカウンターの取付構造も提案されているが、その強度を確保するためには、カウンターを壁面に沿った上下方向にスライドさせて着脱嵌合できるようにしていた。
【先行技術文献】
【特許文献】
【０００４】
【特許文献１】特開２０１１−１８３１１７号公報
【発明の概要】
【発明が解決しようとする課題】
【０００５】
しかしながら、このようなカウンターの壁面に対する着脱操作の際にカウンターの一部を浴室の壁面に沿ってスライドすると壁面を擦過して傷が生じることがあった。壁面の傷は入浴者等が目視できるため、外観上の見栄えが悪いという欠点があった。
しかも、一般的に浴室のカウンターは合成樹脂の射出成形等で成形されるが、射出成型時に金型の型ずれによって意図しないパーティングラインが形成されることがあった。このパーティングラインがカウンターの壁面に対向する面に形成されていると、取り付け時に壁面を擦過して傷つけることがあった。
【０００６】
本発明は、このような課題に鑑みてなされたものであって、着脱可能なカウンターを壁面に沿ってスライドさせても壁面に生じる傷が見えないようにしたカウンターの取付構造を提供することを目的とする。
【課題を解決するための手段】
【０００７】
本発明によるカウンターの取付構造は、浴室の壁面に取り付けた支持部材と、支持部材に着脱可能に装着したカウンターとを備えたカウンターの取付構造であって、支持部材に設けられた係止部と、カウンターに設けられていて壁面に沿ってスライドして係止部に嵌合可能な係合部と、カウンターの壁面に対向する面に形成されていて壁面に接触可能な当接部とが設けられ、カウンターの係合部が支持部材の係止部と嵌合するための壁面に沿ったスライド距離をＬとし、カウンターの当接部から壁面に沿った頂部までの長さをＭとして、長さＭはスライド距離Ｌより大きく形成されていることを特徴とする。
本発明によれば、カウンターを浴室の壁面に設けた支持部材の係止部に対して装着する際、壁面に沿ってカウンターの係合部を支持部材の係止部にスライドさせて嵌合するとカウンターにおいて壁面側に突出する当接部が壁面に接触して傷をつけることがあるが、その場合でもカウンターの当接部から頂部までの長さＭがスライド距離Ｌより大きいため、壁面の傷は装着されたカウンターの背面に隠れて目視できない。
【０００８】
また、カウンターの係合部が支持部材の係止部に嵌合された位置で、当接部と壁面との間に間隙が形成されていてもよい。
浴室の壁面に対向するカウンターの当接部は壁面との間に間隙があるため、カウンターの係合部を支持部材の係止部に挿脱する際に壁面に沿ってスライドさせても壁面に当接したり傷つけりすることを防止できる。
【発明の効果】
【０００９】
本発明によるカウンターの取付構造によれば、カウンターの着脱時に当接部が浴室の壁面を擦過したとしても、カウンターを取り付けた状態で、当接部からカウンター頂部までの距離Ｍがスライド距離Ｌより大きいため、壁面の傷がカウンターで隠されて見えないので外観上の見栄えが良好である。
【図面の簡単な説明】
【００１０】
【図１】本発明の第一実施形態による浴室の要部斜視図である。
【図２】浴室の壁面に取り付けられたブラケットとカウンターの斜視図である。
【図３】図２に示すカウンターとブラケットの正面図である。
【図４】カウンターの取り付け工程を示す部分説明図であり、（ａ）は取り付けた状態の図、（ｂ）は更に水平方向にスライドさせて固定した状態を示す図である。
【図５】カウンターを示す図であり、（ａ）は平面図、（ｂ）は裏面図である。
【図６】カウンターの側面図である。
【図７】図３に示すカウンターとブラケットの嵌合状態を示すＡ−Ａ線断面図である。
【図８】図７におけるカウンターの天板と底板の嵌合構造を示すものであり、（ａ）はＢ部拡大図、（ｂ）はＣ部拡大図である。
【図９】ブラケットの斜視図である。
【図１０】カウンターとブラケットの嵌合構造を示す背面側斜視図である。
【図１１】図７におけるカウンターとブラケットの嵌合状態を示す拡大断面図であり、（ａ）は嵌合前の係り始め位置の図、（ｂ）は嵌合状態の図である。
【図１２】変形例によるカウンターとブラケットの嵌合状態の拡大断面図である。
【図１３】第二実施形態によるカウンターとブラケットの嵌合状態の拡大断面図である。
【発明を実施するための形態】
【００１１】
以下、本発明の実施形態によるカウンターの取付構造を添付図面によって説明する。
図１乃至図１１は第一実施形態による浴室Ｓのカウンター１の取付構造を示している。図１に示す浴室Ｓは底面に床パネルからなる洗い場２と浴槽３を設置し、底面を囲う四面の側壁において、正面の第１壁面４とその両側側壁をなす第２壁面５、第３壁面６とを備え、第１壁面４に対向する開口を有する第４壁面の図示は省略されている。側壁の上部に図示しない天井パネルを備えている。
浴室Ｓの正面の第１壁面４には浴槽３に隣接してカウンター１が着脱可能に設定されている。カウンター１の上部にはシャワー１０が設置され、シャワー１０のホース取付部には湯量と湯の温度を調整するハンドル等が取り付けられている。
【００１２】
図２乃至図４において、第１壁面４には複数のブラケット７が所定間隔で設置され、このブラケット７の上部にカウンター１が着脱可能に装着されている。カウンター１は載置面８ａを備えた天板８とカウンター１を把持して持ち上げ可能な凸曲部９ａを背面に設けた底板９とが互いに嵌合されて接着などで一体化されている。天板８の載置面８ａ上には、石鹸やかみそり、洗面器等の物品を載置可能とされている。
天板８と底板９は例えばそれぞれ凹陥部形状を有しており、互いに嵌合した状態で内部に中空部を有する。また、天板８と底板９はその一方を凹陥部形状とし、他方を略蓋状に形成してもよく、いずれにしても嵌合状態で中空部を有していることが好ましい。或いは、天板８と底板９の両方を略板状に形成してもよい。
【００１３】
カウンター１は、正面の第１壁面４に直交する第２壁面５と浴槽３のエプロン３ａとの間に配置されている。第２壁面５には着脱時のカウンター１の側部を受ける例えば一対のステー部１１が設置されている(図２、図４参照)。
カウンター１は第１壁面４に所定間隔で固定された１または複数、例えば３基のブラケット７上に支持されている。カウンター１の一方の側部は浴槽３のエプロン３ａに設けた受け部(図示せず)に当接させられ、他方の側部は図４に示すように第２壁面５に設けたステー部１１との間にわずかな間隙が形成されている。図４において、ステー部１１上の間隙にロックスペーサ１３を嵌合することでカウンター１は位置決め保持される。
【００１４】
次にカウンター１の構造について説明する。
図２〜図８に示すように、カウンター１は天板８と底板９とが互いに嵌合して形成されている。天板８は物品を載置可能な載置面８ａが第１壁面４側から洗い場２に臨む前側縁部１５に向けて緩い水勾配を有する略水平面を形成している。
天板８の載置面８ａは、図１及び図５に示すように、上面から見て第１壁面４側の奥側縁部１６が第１壁面４に沿って直線状に延び、奥側縁部１６に対向する前側縁部１５が略Ｓ字状を描くように形成され、奥行き方向の幅が長手方向に沿って曲線状に変化している。カウンター１の両側部の側部縁部１７ａ、１７ｂは平行な直線状に形成されている。図５に示す例では、カウンター１は第２壁面５側の部分が幅広に形成されて物品等の載置面積を確保し、浴槽３側に向かう部分が次第に幅が小さくなる幅狭部に形成され、入浴者の浴槽３からの出入り空間を大きくしている。また、シャワー１０に近づき易くなるため全身シャワーを行いやすい。
【００１５】
天板８は、載置面８ａの周縁部が載置面８ａに対して凸曲面を形成して略垂直に落ち込んで形成された前側縁部１５と奥側縁部１６と側部縁部１７ａ、１７ｂとで全周が形成されている。
図５及び図６に示すように、天板８の裏面に形成された底板９はその前側縁部１５に沿って凸曲部９ａが裏面に形成されている。凸曲部９ａは前側縁部１５に沿ってＳ字状に湾曲して延びて形成されており、全長に亘って同一高さであることが好ましい。図６及び図７に示すように、凸曲部９ａはその前面側が断面凸曲線状をなす凸曲面９ｂに形成され、裏面側は断面凹曲線状をなす凹曲面９ｃに形成されている。しかも凹曲面９ｃは急峻に立ち上がっている。
そのため、凸曲部９ａは手の平で凸曲面９ｂと凹曲面９ｃを把持し易く、例えばカウンター１をブラケット７から外す際に凸曲部９ａを掴み易い。
【００１６】
図７及び図１１に示すカウンター１の断面図において、カウンター１の奥側(後方側)である第１壁面４側に形成された天板８の奥側縁部１６は、載置面８ａから上方に隆起して湾曲し、下方の背面部１６ｃに垂下させる凸曲面形状を有している。奥側縁部１６の下端部には係合部１４が下方に突出して形成されており、係合部１４は後述するブラケット７の第二係止溝２８に嵌合可能とされている。奥側縁部１６の下方に設けた底板９では、下方に突出する突起部１８が形成されている。図に示す例では、底板９の裏面は前面側の凸曲部９ａから凹曲面状に上方に湾曲して後方側の突起部１８で凸曲部９ａよりも下方に突出している。
図６に示すように、突起部１８の背面側にはカウンター１をブラケット７に係合するためのロック片１９が突出して形成されている。ロック片１９は例えば断面略逆Ｕ字状の突出部材であり、第１壁面４へのブラケット７の固定位置に対応して所定間隔で複数、例えば３個設置されている。
【００１７】
図７に示す天板８の下面の裏側には、前側縁部１５及び側部縁部１７ａ、１７ｂの外周面内側と奥側縁部１６の内側で下方に延びる外周面２４の内側に全周に亘って例えば階段状の第一段付き部２０が形成されている。この第一段付き部２０に底板９の上側に設けた外周面部２１が全周に亘って嵌合しており、外周面部２１の上端部の全周に亘って第一段付き部２０に嵌合する例えば階段状の第二段付き部２２が形成されている。
図８（ａ）、（ｂ）は図７のＢ部、Ｃ部の拡大図である。底板９の外周面部２１は天板８の前側縁部１５と奥側縁部１６と側部縁部１７ａ、１７ｂの内側に嵌合され、しかも天板８の第一段付き部２０と底板９の第二段付き部２２とが接着剤２３によって全周に亘って接着・シールされている。或いは、第一段付き部２０と第二段付き部２２は接着剤に代えてパッキン等のシール部材を介して全周に亘ってシールされて嵌合されていてもよい。
【００１８】
次にカウンター１とブラケット７との嵌合構造について図９及び図１０に沿って説明する。
図９は浴室Ｓの第１壁面４にねじ等で固定されるブラケット７であり、ブラケット７は側面視略Ｌ字状に形成されている。ブラケット７は上下に延びるブラケット本体７ａの下端部にカウンター１の底板９に形成された突起部１８を受ける第一係止溝２５が断面略Ｕ字状に形成されている。第一係止溝２５はカウンター１の突起部１８の当接面がその溝方向に沿って上方に向けて凸曲面状に形成されていることが好ましい。
【００１９】
図９及び図１０において、ブラケット本体７ａの高さ方向中間部にはカウンター１背面のロック片１９と係合可能な係止受け部２６が突出して形成されている。係止受け部２６はカウンター１の設置位置に応じて左右両側から係合可能とされ、その中央にストッパー部２６ａが下方に突出している。そのため、ブラケット７に対してカウンター１を左右いずれかの方向からスライドさせて係合する際、ロック片１９がブラケット本体７ａの係止受け部２６に沿って圧接して進入し、所定位置でストッパー部２６ａに当接して停止することになる。
【００２０】
ブラケット本体７ａの上部には嵌め込み部材２７が装着または固定されており、嵌め込み部材２７の上端部には係止部として第二係止溝２８が形成されている。この第二係止溝２８にはカウンター１の天板８の奥側縁部１６に形成された係合部１４が嵌合可能とされている。第二係止溝２８においても、その表面が溝底の長手方向に沿って凸曲面が形成されていることが好ましい。
図１０に示すように、所定間隔で設置された複数のブラケット７の上下に設けた第一係止溝２５と第二係止溝２８に対して、カウンター１の突起部１８と係合部１４がスライドするように直線状に連続してそれぞれ形成されている。これに対して、カウンター１の背面に設けられたロック片１９はブラケット７に対応して複数個形成され、スライドするカウンター１はロック片１９がブラケット７の係止受け部２６に圧接されてストッパー部２６ａに当接することで位置決めされる。
【００２１】
次に、図１１に示すカウンター１の係合部１４と第１壁面４に固定したブラケット７の第二係止溝２８との嵌合構造において、（ａ）はカウンター１の係合部１４が第二係止溝２８の入口であるかかり始めの位置にある状態を示し、（ｂ）は係合部１４と第二係止溝２８の嵌合状態を示している。ブラケット７の第二係止溝２８の第１壁面４側に当接受け部２７ａが上方に突出して形成され、カウンター１の奥側縁部１６の背面部１６ｃには、係合部１４の上部に当接受け部２７ａに対向する段差部１６ａが形成されている。
ブラケット７の嵌め込み部材２７は第二係止溝２８の内側に略凸曲面状の隆起部２７ｂを備えており、カウンター１の係合部１４を第二係止溝２８に嵌合する際に、係合部１４が隆起部２７ｂを乗り越えて第二係止溝２８の入口である係り始め部に誘導される。
【００２２】
本実施形態では、奥側縁部１６の背面部１６ｃは段差部１６ａと交差する角部の当接部１６ｂが最も第１壁面４側に突出している。そのため、カウンター１の係合部１４をブラケット７の第二係止溝２８に装着する際、当接部１６ｂが第１壁面４に接触して擦過する可能性がある。しかも、カウンター１とブラケット７は例えば合成樹脂で製造されており、射出成形時に上下の金型のずれによってパーティングラインが生じることがある。
この場合、パーティングラインは例えば奥側縁部１６の背面部１６ｃと段差部１６ａとの角部である当接部１６ｂに生じ易い。パーティングラインがなくても、カウンター１の反りや変形等によって当接部１６ｂが第１壁面４側に最も突出していることがある。
【００２３】
当接部１６ｂが第１壁面４を擦過すると傷が第１壁面４に生じてしまい、入浴者等が目視できると外観上の見栄えが悪いという問題が生じる。一方、当接部１６ｂのスライドによって第１壁面４に傷がついても、カウンター１の奥側縁部１６の背面側に隠れる場合には入浴者等は傷を目視できない。
本実施形態によるカウンター１の取付構造では、図１１（ａ）において、カウンター１の係合部１４の先端がブラケット７の第二係止溝２８に係り始める当接受け部２７ａの上端入口にある点を基準として、当接部１６ｂが降下して第二係止溝２８に嵌合する（図１１（ｂ）の位置）までの距離をカウンター１のスライド距離Ｌとする。また、奥側縁部１６の当接部１６ｂから頂部までの高さをＭとする。スライド距離Ｌが高さＭより大きい場合には第１壁面４に生じた当接部１６ｂの傷を目視可能であるが、スライド距離Ｌが高さＭより小さい場合には第１壁面４に生じた傷はカウンター１の奥側縁部１６に隠れて見えない。
【００２４】
そのため、本実施形態では、カウンター１について、
当接部１６ｂからの高さＭ>スライド距離Ｌ    …（１）
に設定した。なお、当接部１６ｂのスライドの始点をブラケット７の当接受け部２７ａより高い位置または低い位置にとったとしてもスライド距離Ｌが変化するので同様の結果を生じるが、スライド距離Ｌが長くなるとカウンター１の当接部１６ｂから頂部までの高さＭを超えてしまうので第１壁面４上の傷を隠しきれなくなる欠点が生じる。
なお、本実施形態においては、図７に示すようにカウンター１の突起部１８がブラケット７の第一係止溝２５に着座した状態で奥側縁部１６の係合部１４と段差部１６ａは第二係止溝２８と当接受け部２７ａに対して所定の間隙が形成されているが、当接していてもよい。
【００２５】
本実施形態による浴室Ｓのカウンター１は上述した構成を備えており、次に第１壁面４へのカウンター１の取り付け方法について説明する。
先ず、浴室Ｓの第１壁面４に複数のブラケット７をねじ等で所定間隔に平行に固定する。カウンター１を第２壁面５側に寄せて第１壁面４側に押し込んだ後に下方にスライドすることで、図７に示すようにカウンター１の奥側縁部１６の下方に設けた突起部１８を各ブラケット７の第一係止溝２５に嵌合すると共に奥側縁部１６の係合部を第二係止溝２８に嵌合させる。このとき、奥側縁部１６の当接部１６ｂが第１壁面４に接触し擦過して傷つける可能性があるが、この点については後述する。
【００２６】
この状態で、図４（ａ）に示すように、カウンター１は右端部が第２壁面５に固定したステー部１１に着座しており、ブラケット７上の正規の固定位置からずれている。しかも、カウンター１の背面に設けたロック片１９はブラケット７の係止受け部２６から外れている。
そして、カウンター１を浴槽３側にスライドさせると、図１０に示すように、カウンター１は下端部の突起部１８がブラケット７の第一係止溝２５に沿ってスライドし、上端部の奥側縁部１６の係合部１４が第二係止溝２８に沿って水平方向にスライドする。カウンター１の背面に設けたロック片１９もスライドして、ブラケット本体７ａの係止受け部２６の下側に挿入されて互いに当接される。
【００２７】
しかも、第一係止溝２５と第二係止溝２８の溝底を凸曲面形状に形成したことで、凸曲部９ａを把持してカウンター１をスライドさせると上方にわずかに押し上げられ、係止受け部２６にロック片１９が圧接される。そして、ロック片１９がストッパー部２６ａに当接して位置決めされる。これと同時に、カウンター１の他方の端部は浴槽３のエプロン３ａの側面に設けた受け部(図示せず)に当接する。この状態で、図４（ｂ）に示すように、カウンター１の右端部とステー部１１との間にロックスペーサ１３を嵌合させることで、カウンター１は第１壁面４に固定される。カウンター１の下面側に洗面器等を納めることができる。
なお、カウンター１を第１壁面４から取り外すには、上述の動作と逆の動作をすればよい。取り外した状態で、カウンター１を丸洗い洗浄等できる。
【００２８】
つぎに、上述したカウンター１をブラケット７に装着する動作について、図１１により詳細に説明する。図１１（ａ）において、カウンター１を第２壁面５と第１壁面４側に押し付けてブラケット７に降下させる際、カウンター１の奥側縁部１６を第１壁面４に押し付けて降下させる。降下の係り始めに際し、係合部１４はブラケット７の隆起部２７ｂを乗り越えて入口で第二係止溝２８とほぼ同一直線状に位置し、カウンター１の奥側縁部１６の最も第１壁面４側に突出する当接部１６ｂは第１壁面４に接触する。
【００２９】
カウンター１を下方に降下させると当接部１６ｂで第１壁面４を擦過しながら、突起部１８が第一係止溝２５に押し込まれ、係合部１４が第二係止溝２８内にスライドして押し込まれる。カウンター１の下端部の突起部１８が第一係止溝２５に着座した時点で奥側縁部１６が停止し、係合部１４と第二係止溝２８との間にわずかな隙間が残る。この状態で、第１壁面４に当接部１６ｂの擦過による傷が残ったとしても、奥側縁部１６のスライド距離Ｌは当接部１６ｂから頂部までの高さＭより小さいので、傷はカウンター１の奥側縁部１６の背面側に隠れて入浴者等から見えない。
また、カウンター１を上述の動作と逆の手順で移動させることで取り外しができる。取り外したカウンター１は汚れやカビ等が付着していても丸洗い洗浄することができる。しかも、カウンター１は、カウンター１の天板８と底板９とが全周に亘って第一段付き部２０と第二段付き部２２とで接着剤２３によって水密に固着され、しかも内部が中空であるため軽量である。そのため、カウンター１の着脱動作と洗浄作業が容易である。
【００３０】
上述したように、本実施形態によるカウンター１の取付構造によれば、カウンター１を第１壁面４に固定したブラケット７に着脱可能に装着できるので、カビや汚れ等が生じた場合には取り外して丸洗い等の洗浄ができ、損傷した場合の交換等も容易である。
しかも、ブラケット７の上端部の第二係止溝２８にカウンター１の奥側縁部１６に設けた係合部１４を挿脱する際、奥側縁部１６の最も突出する当接部１６ｂが第１壁面４側に傷をつけたとしても奥側縁部１６の裏側に隠れるため露出せず、外観上の見栄えを損なうことがない。
【００３１】
なお、本発明によるカウンター１の取付構造は上述した実施形態に限定されるものではなく、本発明の趣旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３２】
図１２は第一実施形態の変形例を示すものである。図１２において、奥側縁部１６の当接部１６ｂは必ずしも段差部１６ａと奥側縁部１６の背面部１６ｃとの交差部でなくてもよい。例えばパーティングライン等が背面部１６ｃの高さ方向途中に形成されて最も第１壁面４側に突出する場合、この部分がカウンター１の着脱時に第１壁面４を擦過し得る当接部１６ｂとなる。
この場合でも、奥側縁部１６の当接部１６ｂから頂部までの高さＭが係り始めからのスライド距離Ｌより大きければ、第１壁面４に生じる傷は露出しない。
【００３３】
図１３は本発明の第二実施形態によるカウンター１の取付構造を示すものである。
図１３に示す第二実施形態において、カウンター１の奥側縁部１６は係合部１４がブラケット７の第二係止溝２８内に嵌合した状態で、背面部１６ｃと第１壁面４との間にわずかな間隙ｔが形成されている。
そのため、本第二実施形態では、カウンター１をブラケット７に着脱する場合、奥側縁部１６の係合部１４がブラケット７の第二係止溝２８に対する係り始めから第二係止溝２８内に嵌合するまでの間、第１壁面４を擦過して傷をつけることを防止できる。
【００３４】
なお、本発明においてブラケット７は支持部材に含まれる。また、第二係止溝２８は係止部に含まれる。
【符号の説明】
【００３５】
Ｓ  浴室
１  カウンター
３  浴槽
４  第１壁面
５  第２壁面
７  ブラケット
８  天板
８ａ  載置面
９  底板
９ａ  凸曲部
９ｂ  凸曲面
９ｃ  凹曲面
１４  係合部
１５  前側縁部
１６  奥側縁部
１６ａ  段差部
１６ｂ  当接部
１８  突起部
１９  ロック片
２３  接着剤
２５  第一係止溝
２６  係止受け部
２８  第二係止溝
ｔ  間隙
【図１】
2018051122.tif 000003
【図２】
2018051122.tif 000004
【図３】
2018051122.tif 000005
【図４】
2018051122.tif 000006
【図５】
2018051122.tif 000007
【図６】
2018051122.tif 000008
【図７】
2018051122.tif 000009
【図８】
2018051122.tif 000010
【図９】
2018051122.tif 000011
【図１０】
2018051122.tif 000012
【図１１】
2018051122.tif 000013
【図１２】
2018051122.tif 000014
【図１３】
2018051122.tif 000015